(57)【特許請求の範囲】
【請求項１】
車室内の空気吹出し口のフィンに装着した支持部材と、この支持部材に設けられ、曲率中心が前記フィンの回動中心と同心の円弧状支持溝と、前記空気吹出し口周囲の固定部に支持させた物品を保持するトレイと、このトレイに設けられ、前記円弧状支持溝に挿入したピンとを有することを特徴とする車載用物品保持装置。
【発明の詳細な説明】
【０００１】
【発明の属する技術分野】
本発明は、自動車の車室内に取り付ける物品保持装置に係り、特に空調装置の冷暖気吹出し口部に取り付ける車載用物品保持装置に関する。
【０００２】
【従来の技術】
車両の空調装置（エアコン）から吹出す冷暖気を利用にして清涼飲料水などの飲み物を冷却したり暖めたりするために、飲料容器などをエアコン吹出し口の前部に保持する物品装置が普及している。従来のこのような物品保持装置は、例えば実登２５１４１２２号公報や実登３００４３５４号公報に記載されているように、物品保持装置の背面に設けたクリップなどによってエアコン吹出し口のフィンに固定するようになっている。
【０００３】
【発明が解決しようとする課題】
ところが、上記した従来の物品保持装置は、エアコン吹出し口のフィンに装着するようになおり、フィンを回動させると物品保持装置の姿勢が変わったり、保持させた飲み物がこぼれたり、飲み物の入った容器を保持させるとフィンに大きな力が作用して下向きとなるため、フィンを回動させて冷暖気の吹出し方向を自由に変えることができず、快適な空気調和の妨げとなっていた。
【０００４】
本発明は、前記従来技術の欠点を解消するためになされたもので、空気吹出し口のフィンの向きを変えることができるようにすることを目的としている。
【０００５】
【課題を解決するための手段】
上記の目的を達成するために、本発明に係る車載用物品保持装置は、車室内の空気吹出し口のフィンに装着した支持部材と、この支持部材に設けられ、曲率中心が前記フィンの回動中心と同心の円弧状支持溝と、前記空気吹出し口周囲の固定部に支持させた物品を保持するトレイと、このトレイに設けられ、前記円弧状支持溝に挿入したピンとを有する構成となっている。トレイは、不使用時に車両の運転等の邪魔になるのを避けることができとともに、また保持させる物品の大きさに応じて大きさを変えることができるように、前後方向に伸縮可能に形成できる。さらに、トレイは、回動開閉可能に形成して不使用時に運転等の邪魔になるのを避けるようにしてよい。
【０００６】
【作用】
上記のごとく構成した本発明は、トレイを車両の固定部に支持させるとともに、空気吹出し口のフィンに装着した支持部材に設けた支持溝を、フィンの回動中心と同心の円弧状に形成し、この支持溝にトレイに設けたピンを挿入したことにより、フィンを回動させてもトレイの姿勢が変わるようなことがなく、吹出す空気の向きを自由に変えることができ、快適な空気調和を行うことができる。
【０００７】
【発明の実施の形態】
本発明に係る車載用物品保持装置の好ましい実施の形態を、添付図面に従って詳細に説明する。
【０００８】
図１は本発明の実施の形態に係る車載用物品保持装置の側面図であり、図２はその分解組立て図である。
これらの図において、物品保持装置１０は、飲み物の入った缶１２などの物品を保持できるトレイ１４を備えている。そして、トレイ１４の内側には、側面視Ｌ字状をなす物品支持枠１６が設けてあって、缶１２が車両の走行中における振動などによってトレイ１４から落下するのを防止している。また、トレイ１４は、両側壁１８の後端側上部にアーム部２０が一体に形成してある。さらに、各アーム部２０の対向面側上端部には、ピン２２が突設してある。これらのピン２２は、図１に示してあるように、支持部材２４に形成した支持溝２６に挿入するようになっている。そして、トレイ１４の背面側には、トレイ１４をエアコン吹出し口（空気吹出し口）２７の下部の固定部であるダッシュボード２８に支持させるための支え突部３０が設けてある。この支え突部３０は、下面に例えば両面粘着テープ（図示せず）が設けてあって、ダッシュボード２８の前端部に配置したときに、両面粘着テープを介してダッシュボード３０に貼着、固定されるようになっている。
【０００９】
支持部材２４は、エヤコン吹出し口２７に設けたフィンユニット３２に装着するようになっている。すなわち、支持部材２４は、背面に一対の係止爪からなるクリップ部３４が形成されていて、クリップ部３４がフィンユニット３２に設けてあるフィン３６に係止されることにより、フィンユニット３２に着脱自在に装着される。また、支持部材２４は、フィン３６に装着した状態において、フィン３６の長手方向（図１の紙面に直交した方向）に摺動自在となっている。
【００１０】
フィンユニット３２は、ユニットケース３８が回動軸４０に枢着してあるとともに、各フィン３６がユニットケース３８に固定してあって、ユニットケース３８とフィン３６とが回動軸４０を回動中心として図１の矢印４２のように一体に回動するようになっていて、フィン３６を回動させることにより、フィンユニット３２から吹き出される冷暖気の吹出し方向を任意に変えることができるようにしてある。そして、支持部材２４に設けた支持溝２６は、回動軸４０を曲率中心とする円弧状に形成してあって、フィンユニット３２とともに回動した場合でも、ピン２２の位置、すなわちトレイ１４の姿勢が変化しないようになっている。
【００１１】
なお、物品保持装置１０は、図３（１）に示したトレイ１４に作用する力Ｆ1 の作用点（缶１２の荷重中心）Ｇとピン２２および回動軸４０とが、同図（２）に示したように、支え突部３０に作用するダッシュボード２８からの反力の作用中心Ｏを中心とする円Ｃの円周上にあるように形成することが望ましい。このように形成すると、ピン２２を介して支持部材２４に作用する力Ｆ2 は、図３（１）に示したように、支持部材２４の円弧状支持溝２６の法線方向となるため、フィンユニット３２が缶１２の重さによって下方に回動するのを防ぐことができ、空気の吹出し方向を所定の設定方向に維持することができる。
【００１２】
このように構成した実施の形態に係る物品保持装置１０は、まず、支持部材２４をクリップ部３０を介してフィンユニット３２のフィン３６に装着する。その後、トレイ１４の背面に設けた支え突部３０を、粘着テープを介してフィンユニット３２の下部のダッシュボード２８前端部に貼着するとともに、ピン２２を支持部材２４の支持溝２６に挿入する。これにより、トレイ１４は、支え突部３０を介してダッシュボード２８に固定支持されるとともに、ピン２２を介してフィン３６に装着した支持部材２４に支持され、ダッシュボード２８から脱落するのが防止される。
【００１３】
しかも、ピン２２を挿入した支持部材２４の支持溝２６は、フィン３６の回動中心と同心の円弧状に形成してあるため、フィン３６（フィンユニット３２）を図１の矢印４２のように回動させることができるとともに、フィン３６を回動させたとしても、トレイ１４の姿勢に影響を与えることがなく、トレイ１４に配置した缶１２が傾斜して飲み物がこぼれるなどの不都合を避けることができる。また、物品保持装置１０は、支え突部３０を介してダッシュボード２８に支持されているとともに、ピン２２を介して支持部材２４に支持されているため、例えば冬期にエアコンの暖房運転が行われ、ダッシュボード２８が暖められて支え突部３０に設けた粘着テープの粘着力が低下したとしても、ダッシュボード２８から脱落するようなことがない。そして、物品保持装置１０は、支え突部３０に設けた両面粘着テープによってダッシュボードに固定するようになっているため、着脱が容易である。
【００１４】
図４と図５は、トレイの変形例を示したものである。
図４に示したトレイ４４は、前部４６と後部４８とから構成してあって、前部４６と後部４８とが前後方向に相対移動可能となっており、前部４６を矢印５０に示したように移動させることにより、伸縮できるようになっている。そして、前部４６と後部４８との底板５１は、上下方向に少しずらしてあり、前部４６を後部４８側に押込んだ際、両方の底板５１が重なるようになっている。このように構成したトレイ４４は、保持する物品の大きさによりその大きさを調整できるとともに、トレイ４４に物品を配置しない場合、前部４６を後部４８に押し込んで縮小させることにより、運転等の邪魔になるのを防ぐことができる。
【００１５】
図５に示したトレイ５２は、トレイ本体５４とアーム部２０とが別体に形成してあって、トレイ本体５４にアーム部２２が枢着してある。このため、トレイ５２は、トレイ本体５４を図５（１）の矢印５６のように回動開閉できるようになっている。また、物品支持枠１６は、図５（２）に示したように、コ字状の保護枠部５８と一対の回動アーム６０とから構成してある。そして、各回動アーム６０の下端部がアーム部２０に枢着してあるとともに、各回動アーム６０の上端部にコ字状保護枠部５８の両端部が枢着してある。このため、物品支持枠１６は、回動アーム６０を矢印６２のように回動させるとともに、保護枠部５８を矢印６４のように回動させることにより、折畳むことができるようにしてある。従って、この実施の形態においては、トレイ５２に物品を配置しない場合、物品支持枠１６を折畳むとともに、トレイ本体５４を矢印５６のように回動させて閉じることにより、運転などの邪魔になるのを避けることができる。なお、トレイ本体５４の底部６６は、閉じたときに吹出し口２７から吹き出す空気が通過できるように格子状に形成してある。
【００１６】
図６は、他の実施の形態を示したもので、複数のトレイを一体化させたものである。図６（１）に示したように、物品保持装置７０は、２つのトレイ部７２ａ、７２ｂがこれらの中間に設けた小物入れ部７４と一体に形成してある。各トレイ部７２ａ、７２ｂは、図５に示したトレイ５２と同様に形成してあって、回動開閉可能となっている。そして、物品保持装置７０は、前記実施の形態と同様に、本図に図示しない１組ないし複数組の支持部材２４を介して吹出し口２７に設けたフィンユニット３２に取り付けら、トレイ部７２ａ、７２ｂが両端のフィンユニット３２ａ、３２ｃの前面部に位置し、小物入れ部７２が中央のフィンユニット３２ｂの前面部に位置するようになっている。
【００１７】
小物入れ部７４は、上端が開口しているとともに、背面部７６が格子状に形成してあって、吹出し口２７から吹出した空気が通過できるようにしてある。そして、小物入れ部７４は、前壁部７８が低くなっていて携帯電話８０（図６（２）参照）などの小物の出し入れを容易に行うことができるようにしてあるとともに、前壁部７８に吹出し口８２が形成してあって、背面部７６を透過した空気を前方に吹き出すことができるようにしてある。さらに、小物入れ部７４は、二重底にしてあって、図示しない上下の底板の間に通風路８４が形成してあり、小物入れ部７４に物品を収納した場合であっても、通風路８４を介して冷暖気を小物入れ部７４の前方に吹き出すことができるようになっている。また、小物入れ部７４は、図６（２）に示したように、背面部７６を覆う蓋またはシャッタ８６を配置できるようになっていて、エアコンの冷房運転時に小物入れ部７４に収納した携帯電話８０などに結露が生じるのを防止し、暖房運転時に過度に暖められるのを避けることができるようにしてある。
【００１８】
【発明の効果】
以上に説明したように、本発明によれば、トレイを車体固定部に支持させるとともに、空気吹出し口のフィンに装着した支持部材に設けた支持溝を、フィンの回動中心と同心の円弧状に形成し、この支持溝にトレイに設けたピンを挿入したことにより、フィンを回動させてもトレイの姿勢が変わるようなことがなく、吹出す空気の向きを自由に変えることができ、快適な空気調和を行うことができる。
【図面の簡単な説明】
【図１】本発明の実施の形態に係る物品保持装置の側面図である。
【図２】実施の形態に係る物品保持装置の分解組立て図である。
【図３】実施の形態に係る物品保持装置の支持部材に作用する力の説明図である。
【図４】トレイの変形例の説明図であって、伸縮可能なトレイの斜視図である。
【図５】トレイの変形例の説明図であって、回動開閉可能なトレイの斜視図と折畳み可能な物品支持枠の斜視図である。
【図６】他の実施の形態に係る物品保持装置の説明図である。
【符号の説明】
１０、７０    物品保持装置
１４、４４、５２    トレイ
２２          ピン
２４          支持部材
２６          支持溝
２８          固定部（ダッシュボード）
３０          支え突部
３２          フィンユニット
３４          クリップ部
３６          フィン
３８          回動軸
【図１】
0003781504.tif 000002
【図２】
0003781504.tif 000003
【図３】
0003781504.tif 000004
【図４】
0003781504.tif 000005
【図５】
0003781504.tif 000006
【図６】
0003781504.tif 000007